(57)【要約】      （修正有）【課題】手指の力が比較的弱い高齢者及び子供などが、碗形状の食器を片手で安定的に持ち続けられ、また、食事中に箸休めをする際に、碗形状の食器の上側に箸１膳を揃えて橋を渡すようにして載置する際に、載置した箸の落下を防止する手指載置兼箸載置台付き食器を提供する。【解決手段】碗形状の食器本体２に、手の親指載置を兼ねた箸１膳を揃えて橋を渡すようにして載置する載置台部３を同一状態で２つ設ける。各載置台部３は、食器本体２の胴体部４の上側の円周状先端部５の、円周に仮に正方形を当てはめた時に均一に接した４つの角のうち隣同士になる何れか２つの角が接する位置付近に、それぞれ設けて一体形成した。【選択図】図１
2017217433.tif 000002
【特許請求の範囲】
【請求項１】
碗形状の食器本体に、手の親指載置を兼ねた箸一膳を揃えて橋を渡すようにして載置できる載置台部を同一状態で２つ設ける。各載置台部は、食器本体の胴体部の上側の円周状先端部の、円周に仮に正方形を当てはめた時に均一に接した４つの角のうち隣同士になる何れかの２つの角が接する位置付近に、それぞれ設けて一体形成したことを特徴とする手指載置兼箸載置台付き食器。
【請求項２】
各載置台部は、両端より中央へ向かって緩やかに傾斜する湾曲に切欠けた凹形状構成で設けたことを特徴とする請求項１に記載の手指載置兼箸載置台付き食器。
【発明の詳細な説明】
【技術分野】
【０００１】  本発明は、箸を使って食事をする際に、食物を入れて手で持つ碗形状の手指載置兼箸載置台付き食器に関するものである。
【背景技術】
【０００２】  従来、箸を使って食事をする際に、食物を入れて手で持つ碗形状の食器の上側の平坦な円周状先端部位には、手の親指又は箸１膳を載置する台は無く、食器を片手で持つ時は親指を、食事中に箸休めをする時は箸１膳を、円周状先端部位の適当な位置にそれぞれ載置していた。また、平板状の材料を湾曲状、または多角状に折り曲げることにより上部に位置する両方の先端に凹状の切欠き、または窪みを設けた、食事中などに箸を置く独立した箸置台が知られている（特許文献１参照）。
【先行技術文献】
【特許文献】
【０００３】
【特許文献１】  特許第５４８７４５９号
【発明の概要】
【発明が解決しようとする課題】
【０００４】  箸を使って食事をする際に、手指の力が比較的弱い高齢者及び子供などが、碗形状の食器を片手で安定的に持ち続けるのは難しく、食事中に誤って落としてしまうことがある。また、食事中に箸休めをする際に、碗形状の食器の上側の平坦な円周状先端位置に使用している箸１膳を揃えて橋を渡すようにして載置することが多いが、食卓が何かの拍子に動くなどした僅かな振動で、載置している箸が転がり落ちていた。また、特許文献１参照の独立した箸置台に於いては、箸が転がり落ちるのは防止できるが、狭い食卓及び大人数での食事では、場所を取るので邪魔になると云う問題があった。
本発明は、以上の問題点を解決するためになされたものである。
【課題を解決するための手段】
【０００５】  碗形状の食器本体に、手の親指載置を兼ねた箸１膳を揃えて橋を渡すようにして載置する載置台部を同一状態で２つ設ける。各載置台部は、食器本体の胴体部の上側の円周状先端部の、円周に仮に正方形を当てはめた時に均一に接した４つの角のうち隣同士になる何れか２つの角が接する位置付近に、それぞれ設けて一体形成したことを特徴とする手指載置兼箸載置台付き食器。
【発明の効果】
【０００６】  従来不可能とされていた手指の力が比較的弱い高齢者及び子供などが食事中に片手で持っていた碗形状の食器を誤って落としてしまうのを防止することを可能にし、且つ食事中に箸休めをする際に、食器に置いた箸１膳が容易に転がり落ちるのを防ぐことができる。
本発明は、食器を持つ手の親指が載置する位置を載置台に限定することで、万一親指に雑菌類の汚れが付着していたとしても、汁物類を食する際に於いて、同一場所に口を付けるのを確実に防ぐことができて衛生管理に役立つ。
【図面の簡単な説明】
【０００７】
【図１】本発明の斜視図
【図２】本発明の使用状態を示す斜視図
【図３】本発明の使用状態を示す斜視図
【図４】本発明の使用状態を示す斜視図
【発明を実施するための形態】
【０００８】  以下、本発明の実施の形態を説明する。
（イ）陶磁器及び木材又はステンレス材若しくはプラスチック材などの茶碗又は丼などの      飯類及び麺類又は汁類などの食物を入れる手指載置兼箸載置台付き食器（１）は、      碗形状の食器本体（２）に手（Ｔ）の親指（Ｏ）載置を兼ねた箸１膳（Ｈ）を並び      揃えて橋を渡すようにして載置する載置台部（３）を同一形状構成で２つ設ける。
（ロ）各載置台部（３）は、食器本体（２）の胴体部（４）の上側の円周状先端部（５）      の、円周に仮に正方形を当てはめた時に均一に接した４つの角のうち隣同士になる      何れか２つの角が接する位置付近に、それぞれ設けて一体形成する。
（ハ）各載置台部（３）は、両端より中央へ向かって緩やかに傾斜する湾曲に切欠けた凹      形状構成である。
（ニ）標準成人用サイズの手指載置兼箸載置台付き食器（１）の各載置台部（３）は、長      さ２・５ｃｍ位、深さ０・５ｃｍ位であり、子供用サイズの手指載置兼箸載置台付      き食器（１）の各載置台部（３）は、長さ１・８ｃｍ位、深さ０・３ｃｍ位である      。
本発明は以上のような構造である。
本発明を使用する時は、第１段階として、まず人数分の各手指載置兼箸載置台付き食器（１）に、それぞれ従来と同様の手順と方法で飯及び味噌汁などを装う。
第２段階は、飯及び味噌汁などを装った各手指載置兼箸載置台付き食器（１）の何れかの各載置台部（３）にそれぞれ箸１膳（Ｈ）を揃えて、橋を渡すようにバランス良く載置して、以後は従来と同様の手順と方法で食卓に配膳をして、食事の準備が完了である。
第３段階は、各載置台部（３）に載置してある箸１膳（Ｈ）を利き手で持ち、他方の手（Ｔ）で従来と同様に手指載置兼箸載置台付き食器（１）を持つが、この時、親指（Ｏ）は載置台部（３）２つのうち何れか１つに載置する。親指（Ｏ）が載置台部（３）に嵌るように収まることで、大人の健常者は勿論、手指の力が比較的弱い高齢者及び子供などが手指載置兼箸載置台付き食器（１）を安定的に持ち続ける手助けになり、誤って食事中に食器を落とす事態を回避することで、安心して食事が楽しめる。
第４段階は、食事の途中で箸休めをする時、各自が使用しているそれぞれの手指載置兼箸載置台付き食器（１）の何れかの各載置台部（３）に、使用している箸１膳（Ｈ）を、上記と同様に揃えて橋を渡すようにバランス良く載置する。この様に箸休めをしている間に、万一食卓が動いたり揺れたりしても、載置している箸１膳（Ｈ）は容易に転がり落ちることはないので、心配なく食事が続けられる。
そして第５段階は、食事を終えたら、上記第２段階と同様に空いた何れかの手指載置兼箸載置台付き食器（１）の各載置台部（３）に、使用済みの箸１膳（Ｈ）を載置する事で、箸１膳（Ｈ）に付着した食残などが食卓及び盆などに付着するのを阻止し、更に運搬時の落下を防いで、楽で清潔に後片付けができる。
【符号の説明】
【０００９】１手指載置兼箸載置台付き食器、２食器本体、３載置台部、４胴体部、５円周状先端部  Ｈ箸１膳、Ｔ手、Ｏ親指
【図１】
2017217433.tif 000003
【図２】
2017217433.tif 000004
【図３】
2017217433.tif 000005
【図４】
2017217433.tif 000006